(57)【要約】【課題】カメラモジュールを小型化させることができる固体撮像装置を提供すること。【解決手段】実施形態に係る固体撮像装置は、画素部およびロジック回路を具備する。前記画素部は、複数の画素を有し、歪み補正用のレンズを除く複数のレンズを有するレンズ群によって集光される光を受光する。前記ロジック回路は、前記画素部から出力される画像信号を処理する。このロジック回路は、画素特性ばらつき補正処理回路、ぼけ補正処理回路、および歪み補正処理回路、を具備する。前記画素特性ばらつき補正処理回路は、前記複数の画素の特性ばらつきが抑制されるように、前記画像信号を補正する。前記ぼけ補正処理回路は、前記画像信号に基づいて形成される画像のぼけが補正されるように、前記画像信号を補正する。前記歪み補正処理回路は、前記画像信号に基づいて形成される前記画像の歪みが補正されるように、前記画像信号を補正する。【選択図】図３
2015177307.tif 000002
【特許請求の範囲】
【請求項１】
複数の画素を有し、歪み補正用のレンズを除く複数のレンズを有するレンズ群によって集光される光を受光する画素部と、
この画素部から出力される画像信号を処理するロジック回路と、
を具備し、
前記ロジック回路は、
前記複数の画素の特性ばらつきが抑制されるように、前記画像信号を補正する画素特性ばらつき補正処理回路と、
前記画像信号に基づいて形成される画像のぼけが補正されるように、前記画像信号を補正するぼけ補正処理回路と、
前記画像信号によって形成される前記画像の歪みが補正されるように、前記画像信号を補正する歪み補正処理回路と、
を具備する固体撮像装置。
【請求項２】
前記歪み補正処理回路は、前記画像に含まれる歪曲収差および倍率色収差を補正する請求項１に記載の固体撮像装置。
【請求項３】
複数のレンズによって構成されるレンズ群と、
このレンズ群を内部に保持するレンズホルダと、
このレンズホルダに覆われるように配置され、複数の画素を有する画素部を備えた固体撮像装置と、
前記レンズホルダの内部に配置され、前記画素部から出力される画像信号を処理するロジック回路と、
を具備し、
前記ロジック回路は、前記複数の画素の特性ばらつきが抑制されるように、前記画像信号を補正する画素特性ばらつき補正処理回路と、
前記画像信号に基づいて形成される画像のぼけが補正されるように、前記画像信号を補正するぼけ補正処理回路と、
前記画像信号に基づいて形成される前記画像の歪みが補正されるように、前記画像信号を補正する歪み補正処理回路と、
を具備するカメラモジュール。
【請求項４】
前記レンズ群は、歪曲収差補正用のレンズおよび倍率色収差補正用のレンズを除くレンズ群である請求項３に記載のカメラモジュール。
【請求項５】
前記歪み補正処理回路は、前記画像に含まれる歪曲収差および倍率色収差を補正する請求項３または４に記載のカメラモジュール。
【発明の詳細な説明】
【技術分野】
【０００１】
本発明の実施形態は、固体撮像装置およびカメラモジュールに関する。
【背景技術】
【０００２】
例えば携帯電話等に実装される小型のカメラモジュールは、固体撮像装置が、内部にレンズを有するレンズホルダに覆われたものである。このようなカメラモジュールは、被写体からの反射光を、レンズを用いて固体撮像装置に集光することにより、被写体の画像を得ることができる。
【０００３】
ところで、レンズには収差が存在するため、レンズによる結像にはぼけおよび歪みが生じ、カメラモジュールから出力される画像の品質は劣化する。出力される画像の品質を向上させるためには、レンズ収差を出来る限り抑制する必要がある。レンズ収差を抑制するためには、収差抑制用のレンズが複数枚組み合わされたレンズ群を適用する必要があるが、レンズ収差を抑制しようとするほど、必要なレンズ枚数が増加する。このため、レンズ収差を抑制し、カメラモジュールから出力される画像の品質を向上させようとするほど、カメラモジュールが大型化する、という問題がある。
【先行技術文献】
【特許文献】
【０００４】
【特許文献１】特開２００９−２７１６７７号公報
【発明の概要】
【発明が解決しようとする課題】
【０００５】
実施形態は、カメラモジュールを小型化させることができる固体撮像装置および小型化が可能なカメラモジュールを提供することを目的とする。
【課題を解決するための手段】
【０００６】
実施形態に係る固体撮像装置は、画素部およびロジック回路を具備する。前記画素部は、複数の画素を有し、歪み補正用のレンズを除く複数のレンズを有するレンズ群によって集光される光を受光する。前記ロジック回路は、前記画素部から出力される画像信号を処理する。このロジック回路は、画素特性ばらつき補正処理回路、ぼけ補正処理回路、および歪み補正処理回路、を具備する。前記画素特性ばらつき補正処理回路は、前記複数の画素の特性ばらつきが抑制されるように、前記画像信号を補正する。前記ぼけ補正処理回路は、前記画像信号に基づいて形成される画像のぼけが補正されるように、前記画像信号を補正する。前記歪み補正処理回路は、前記画像信号に基づいて形成される前記画像の歪みが補正されるように、前記画像信号を補正する。
【０００７】
また、実施形態に係るカメラモジュールは、レンズ群、レンズホルダ、固体撮像装置、およびロジック回路、を具備する。前記レンズ群は、複数のレンズによって構成される。前記レンズホルダは、前記レンズ群を内部に保持する。前記固体撮像装置は、前記レンズホルダに覆われるように配置されており、複数の画素を有する画素部を備えている。前記ロジック回路は、前記レンズホルダの内部に配置されており、前記画素部から出力される画像信号を処理する。このロジック回路は、画素特性ばらつき補正処理回路、ぼけ補正処理回路、および歪み補正処理回路、を具備する。前記画素特性ばらつき補正処理回路は、前記複数の画素の特性ばらつきが抑制されるように、前記画像信号を補正する。前記ぼけ補正処理回路は、前記画像信号に基づいて形成される画像のぼけが補正されるように、前記画像信号を補正する。前記歪み補正処理回路は、前記画像信号に基づいて形成される前記画像の歪みが補正されるように、前記画像信号を補正する。
【図面の簡単な説明】
【０００８】
【図１】本実施形態に係るカメラモジュールを示す一断面図である。
【図２】図１の一点鎖線Ｘ−Ｘ´に沿ったカメラモジュールの断面図である。
【図３】図１に示すカメラモジュールを示すブロック図である。
【図４】歪曲収差の補正を説明するための説明図である。
【図５】倍率色収差の補正を説明するための説明図である。
【図６】歪曲収差および倍率色収差の同時補正を説明するための説明図である。
【図７】歪み補正処理回路を含むロジック回路を示すブロック図である。
【図８】他の実施形態に係るカメラモジュールを示す一断面図である。
【発明を実施するための形態】
【０００９】
以下に、実施形態に係る固体撮像装置およびカメラモジュールについて説明する。図１は、本実施形態に係るカメラモジュールを示す一断面図である。図１に示すカメラモジュール１０は、複数枚のレンズ１１ａ、１１ｂによって構成されるレンズ群１１によって、被写体からの反射光を固体撮像装置１に集光し、固体撮像装置１から出力される画像信号に基づいて被写体の画像を形成するものである。
【００１０】
このカメラモジュール１０の固体撮像装置１は、基板１３上に接着層１４を介して配置された固体撮像素子１２、およびロジック回路２７を備える。
【００１１】
固体撮像素子１２は、例えばＣＭＯＳセンサ部であって、例えばシリコン等の半導体基板１５と、この半導体基板１５の表面上の一部に設けられた画素部１６と、を有する。
【００１２】
画素部１６は、例えばＣＭＯＳセンサであって、複数の画素が格子状に２次元配列されたものである。
【００１３】
図２は、図１の一点鎖線Ｘ−Ｘ´に沿ったカメラモジュール１０の断面図である。図２に示すように、固体撮像装置１において、固体撮像素子１２の半導体基板１５の表面上のうち、画素部１６の周辺領域の一部には、画素特性ばらつき補正処理回路およびぼけ補正処理回路を含む信号処理回路１７が設けられている。
【００１４】
画素特性ばらつき補正処理回路は、画素部１６に設けられた各画素の特性ばらつきが抑制されるように、画素部１６から得られた画像信号を補正する回路である。この補正処理回路は、具体的には、例えば欠陥画素に対して所望の輝度を与える欠陥ピクセル補正、各画素の暗電流に基づくノイズを除去する黒レベル補正、複数の画素の輝度ばらつきを抑制するシェーディング補正、およびノイズリダクション、等の各種処理を行う。
【００１５】
また、ぼけ補正処理回路は、レンズ群１１が有する収差によって、固体撮像素子１２の画素部１６から出力される画像信号に基づいて形成される画像のぼけを補正する回路である。この補正処理回路は、具体的には、例えばレンズ群１１の球面収差、コマ収差、非点収差、および像面湾曲、を補正する等して、解像度復元を行う。
【００１６】
なお、球面収差、コマ収差、非点収差、および像面湾曲においては、レンズ群１１に、これらの収差を補正するためのレンズを追加することによって補正することもできる。レンズ群１１にこれらの収差を補正するレンズが含まれている場合、ぼけ補正処理回路は、必ずしも必要な回路ではないが、設けられているほうが好ましい。
【００１７】
図１を参照する。このような固体撮像素子１２は、基板１３上の配線（図示せず）と、固体撮像素子１２を構成する半導体基板１５上の配線（図示せず）と、が例えばワイヤー１８等の接続導体によって接続されることにより、基板１３に対して電気的に接続されている。
【００１８】
このように固体撮像素子１２が配置された基板１３の表面上には、例えば遮光性樹脂からなる筒状のレンズホルダ１９が配置されている。レンズホルダ１９は、固体撮像素子１２を覆うように、基板１３の表面上に配置されている。
【００１９】
このレンズホルダ１９の内部の一部には、カメラモジュール１０に入射される光の赤外線成分を遮断し、赤外線成分以外を透過させる赤外線遮断フィルタ２０が配置されている。
【００２０】
また、このようなレンズホルダ１９の内部のうち、赤外線遮断フィルタ２０の上方には、例えば遮光性樹脂からなる筒状のレンズバレル２１が配置されている。レンズバレル２１は、例えばバネ２２等の弾性体によって支持された状態で、レンズホルダ１９の内部に配置されている。
【００２１】
レンズバレル２１内には、上述の固体撮像素子１２に光を集光するレンズ群１１が配置されている。レンズ群１１は、複数枚のレンズ１１ａ、１１ｂによって構成されるものである。レンズ群１１は、例えばザイデルの５収差のうち、球面収差、コマ収差、非点収差、像面湾曲の４種類の収差を補正する複数枚のレンズを含んでいる。しかしながら、レンズ群１１には、歪曲収差および倍率色収差を補正するためのレンズは含まれていない。したがって、レンズ群１１は、少なくとも固体撮像素子１２から出力される画像信号に基づいて形成される画像を歪ませる歪み特性として、歪曲収差および倍率色収差を有する。
【００２２】
また、レンズバレル２１の外周面上には、レンズ群１１を上下方向に移動させるレンズ駆動部として、例えばコイル２３が設けられているとともに、レンズホルダ１９の内周面上には、所定方向に磁界を発生させるヨーク２４が設けられている。ヨーク２４によって発生する磁界およびコイル２３に流れる電流によって、コイル２３にはローレンツ力が発生し、この力によって、コイル２３が備えられたレンズバレル２１を、バネ２２の弾性力に逆らう方向に移動させることができる。
【００２３】
なお、図２に示すように、例えばコイル２３に電流を流すためのドライバであるオートフォーカス（ＡＦ）ドライバ２５は、レンズホルダ１９に囲われる基板１３の表面上のうち、固体撮像素子１２の周辺領域に配置されている。
【００２４】
このようなカメラモジュール１０において、固体撮像装置１は、レンズホルダ１９に囲われる基板１３の表面上に配置された歪み補正処理回路２６を有する（図１および図２）。歪み補正処理回路２６は、固体撮像素子１２の画素部１６から出力される画像信号に基づいて形成される画像の歪みを補正する回路である。この補正処理回路は、具体的には、レンズ群１１の歪曲収差および倍率色収差を補正する。
【００２５】
なお、固体撮像素子１２の信号処理回路１７に含まれる画素特性ばらつき補正処理回路およびぼけ補正処理回路と、固体撮像装置１の基板１３の表面上に設けられる歪み補正処理回路２６と、はロジック回路２７（図３）を構成している。なお、歪み補正処理回路２６の機能は、固体撮像素子１２の信号処理回路１７に含まれていてもよい。
【００２６】
図３は、以上に説明したカメラモジュール１０を示すブロック図である。以下に、図３を参照して、カメラモジュール１０の動作について説明する。
【００２７】
図３に示すように、まず、レンズ部のレンズ群１１に被写体からの反射光が入射されると、その入射光は、固体撮像装置１の画素部１６に集光される。
【００２８】
画素部１６に光が照射されると画素部１６に設けられた各画素は、照射された光に基づいて画像信号を発生する。そして、画素部１６において発生した画像信号は、画素特性ばらつき補正処理回路およびぼけ補正処理回路を含む信号処理回路１７に入力される。
【００２９】
画像信号が信号処理回路１７の画素特性ばらつき補正処理回路に入力されると、画像信号に対して、画素部１６に設けられた各画素の特性ばらつきが抑制されるように補正処理が実行される。
【００３０】
また、画像信号が信号処理回路１７のぼけ補正処理回路に入力されると、画素部１６から出力される画像信号に基づいて形成される画像のぼけが補正されるように、画像信号に対して補正処理が実行される。
【００３１】
信号処理回路１７においてこのような補正処理が実行された後、画像信号は、歪み補正処理回路２６に入力される。
【００３２】
画像信号が歪み補正処理回路２６に入力されると、画素部１６から出力される画像信号に基づいて形成される画像の歪み（歪曲収差および倍率色収差）が補正されるように、画像信号に対して補正処理が実行される。
【００３３】
ここで、画素部１６から出力される画像信号に基づく画像に歪曲収差が発生する場合、その画像は、図４（ａ）に示すように、点線Ｔ´で示すような被写体を再現した理想的な画像とはならず、実線Ｄで示すような樽状に歪んだ画像となる。
【００３４】
このような画像は、図４（ｂ）に示すように、画素部１６の中心からの距離（像高）がｒの位置に存在する画素において得られる画像信号には、収差量ｐの収差が含まれるために形成される。すなわち、図４（ａ）に示すように、理想的には中心からの距離ｒ´の位置に存在する画素において得られる画像信号Ｖ（ｒ´）が、歪曲収差によって、実際には収差量ｐだけずれ、中心から距離ｒだけ離れた位置において画像信号Ｖ（ｒ）として得られるために生じる。
【００３５】
このような歪曲収差を補正するには、歪み補正処理回路２６は、図４（ｃ）に示されるように、画素部１６の中心からの距離（像高）がｒの位置に存在する画素において得られる画像信号に含まれる収差量ｐを減少させ、収差量ｐをゼロに近付ければよい。すなわち、歪み補正処理回路２６は、画像信号Ｖ（ｒ）の位置ｒを、理想的な位置ｒ´に近付ければよい。
【００３６】
このような補正処理を行った結果、歪曲収差は補正され、図４（ｄ）に示すように、理想的な画像Ｔ´に近似した画像Ｔを得ることができる。
【００３７】
なお、図４（ａ）においては樽型の歪曲収差が生じた画像を例示しているが、実際には糸巻き型の歪曲収差が生じる場合、または樽型と糸巻き型が混在した歪曲収差が生じる場合もある。このような歪曲収差が生じた場合であっても、歪み収補正処理回路２６は、上述のように、画像信号Ｖ（ｒ）の位置ｒを、理想的な位置ｒ´に近付ければよい。
【００３８】
次に、画素部１６から出力される画像信号に基づく画像に倍率色収差が発生する場合、その画像は、図５（ａ）に示すように、例えば点線ＤＧのみで示すような画像とはならず、点線ＤＧ、実線ＤＢ、一点鎖線ＤＲ、で示すような多重化された画像となる。
【００３９】
このような画像は、図５（ｂ）に示すように、画素部１６の中心からの距離（像高）がｒの位置に存在する画素において得られる画像信号には、収差量ｐの収差が含まれるが、その収差量ｐが色毎（すなわち波長域毎）に異なるために形成される。すなわち、図５（ａ）に示すように、中心からの距離ｒＧの位置に存在する画素において得られる各色の画像信号ＶＢ（ｒＧ）、ＶＧ（ｒＧ）、ＶＲ（ｒＧ）のうち、例えばＶＢ（ｒＧ）が、倍率色収差によって、実際には収差量ｐＢ−ｐＧだけずれ、中心から距離ｒＢだけ離れた位置において画像信号ＶＢ（ｒＢ）として得られ、例えばＶＲ（ｒＧ）が、倍率色収差によって、実際には収差量ｐＲ−ｐＧだけずれ、中心から距離ｒＲだけ離れた位置において画像信号ＶＲ（ｒＲ）として得られるために生じる。
【００４０】
このような倍率色収差を補正するには、歪み補正処理回路２６は、図５（ｃ）に示されるように、例えば画素部１６の中心からの距離（像高）がｒの位置に存在する画素において得られる各色毎の画像信号に含まれる収差量の差をゼロに近付ければよい。すなわち、歪み補正処理回路２６は、各色の画像信号の位置ｒＲ、ｒＧ、ｒＢ、を互いに近付ければよい。
【００４１】
このような補正処理を行った結果、倍率色収差は補正され、図５（ｄ）に示すように、多重化が抑制された画像Ｔを得ることができる。
【００４２】
歪み補正処理回路２６は、以上に説明した歪曲収差および倍率色収差を補正する。歪み補正処理回路２６は、これらの収差をそれぞれ補正してもよいが、本実施形態に係るカメラモジュール１０において、歪み補正処理回路２６は、歪曲収差および倍率色収差を同時に補正する。以下、この補正について説明する。
【００４３】
固体撮像装置１の画素部１６から出力される画像信号に基づく画像に歪曲収差および倍率色収差が発生する場合、その画像は、図６（ａ）に示すように、点線Ｔ´で示すような被写体を再現した理想的な画像とはならず、一点鎖線ＤＲ、二点鎖線ＤＧ、および実線ＤＢで示すような樽状に歪み、かつ多重化された画像となる。
【００４４】
このような画像は、図６（ｂ）に示すように、画素部１６の中心からの距離（像高）がｒの位置に存在する画素において得られる各色の画像信号には、色毎に異なった収差量ｐの収差が含まれるために形成される。すなわち、図６（ａ）に示すように、理想的には中心からの距離ｒ´の位置に存在する画素において得られる各色の画像信号ＶＲ（ｒ´）、ＶＧ（ｒ´）、ＶＢ（ｒ´）が、歪曲収差および倍率色収差によって、実際にはそれぞれ収差量ｐＲ、ｐＧ、ｐＢだけずれ、中心からそれぞれ距離ｒＲ、ｒＧ、ｒＢだけ離れた位置において画像信号ＶＲ（ｒＲ）、ＶＧ（ｒＧ）、ＶＢ（ｒＢ）として得られるために生じる。
【００４５】
このような歪曲収差および倍率色収差を補正するには、歪み補正処理回路２６は、図６（ｃ）に示されるように、画素部１６の中心からの距離（像高）がｒＲ、ｒＧ、ｒＢの位置に存在する画素においてそれぞれ得られる画像信号に含まれる収差量ｐＲ、ｐＧ、ｐＢを減少させ、これらの収差量ｐＲ、ｐＧ、ｐＢをゼロに近付ければよい。すなわち、歪み補正処理回路２６は、画像信号ＶＲ（ｒＲ）、ＶＧ（ｒＧ）、ＶＢ（ｒＢ）の位置ｒＲ、ｒＧ、ｒＢを、理想的な位置ｒ´に近付ければよい。
【００４６】
このような補正処理を行った結果、歪曲収差および倍率色収差は同時に補正され、図６（ｄ）に示すように、理想的な画像Ｔ´に近似した画像Ｔを得ることができる。
【００４７】
なお、このような歪み補正処理回路２６の具体的な構成については後述する。
【００４８】
図３を参照する。このようにして歪み補正処理回路２６において、歪曲収差および倍率色収差が補正されると、固体撮像装置１のロジック回路２７から、各種信号処理が実行された画像信号が出力される。そして、この画像信号に基づいて形成される画像は、例えば図６（ｄ）に示されるような、画素特性のばらつきが抑制されるとともに、ぼけ収差および歪み収差が補正された、良質な画像となる。
【００４９】
なお、本実施形態に係るカメラモジュール１０において、ロジック回路２７から出力される画像信号は、カメラモジュール１０が実装される例えば携帯電話等の電気機器に含まれるＣＰＵ等のコントローラ３１に送られる。
【００５０】
コントローラ３１において、ロジック回路２７から出力された画像信号に基づいて形成される画像にぼけが生じているか否かが判断される。
【００５１】
ぼけが生じていない場合には、ロジック回路２７から出力された画像信号に基づいて形成される画像が、カメラモジュール１０の出力画像となる。
【００５２】
ぼけが生じている場合には、その量に基づいてＡＦドライバ２５を駆動し、レンズ駆動部であるコイル２３に所定量の電流を流す。これによってレンズ群１１を、画像のぼけが抑制される位置に移動させる。このようにしてぼけが抑制された画像が、カメラモジュール１０の出力画像となる。
【００５３】
続いて、以下に、上述の歪み補正処理回路２６について説明する。図７は、歪み補正処理回路２６を含むロジック回路２７を示すブロック図である。図７に示すように、ロジック回路２７は、画素特性ばらつき補正処理回路およびぼけ補正処理回路を含む信号処理回路１７、および歪み補正処理回路２６を含んでいる。
【００５４】
歪み補正処理回路２６は、画像信号が得られた画素の位置を算出する位置算出部２８、および得られた画像信号の補正後の位置を算出する位置補正部２９、を有する。
【００５５】
位置算出部２８は、例えば画素部１６の中心から、画像信号が得られた画素の位置までの距離ｒを算出する。
【００５６】
位置補正部２９は、中心からの距離がｒの画素において得られる画像信号に含まれる収差量ｐを減少させ、画像信号が実際に得られた位置を、この画像信号が得られるべき理想的な位置に近付ける補正を行う。すなわち、位置補正部は、図６（ｂ）に示されるような収差量を示す曲線を、図６（ｃ）に示されるように直線に近付ける補正を行う。この位置補正部２９においては、補正後の位置を、画素部の中心からの距離ｒ´として算出する。
【００５７】
位置補正部２９において、補正後の位置を示す距離ｒ´は、補正前の位置を示す距離ｒを用いて、例えば以下の多項式を用いて算出される。
【００５８】
ｒ´＝Ａ×ｒ９＋Ｂ×ｒ７＋Ｃ×ｒ５＋Ｄ×ｒ３＋Ｅ×ｒ
ここで、歪み補正処理回路２６は、上記多項式の係数Ａ、Ｂ、Ｃ、Ｄ、Ｅを記憶する補正係数記憶部３０を有している。位置補正部２９は、位置算出部２８において算出された距離ｒを得ると、補正係数記憶部３０から上記多項式の係数Ａ、Ｂ、Ｃ、Ｄ、Ｅを読み出し、距離ｒおよび読み出された係数Ａ、Ｂ、Ｃ、Ｄ、Ｅを、上記多項式に代入することにより、画像信号の補正後の位置を、画素部１６の中心からの距離ｒ´として算出する。
【００５９】
このようにして、歪み補正処理回路２６は、画像信号の位置を補正する。したがって、歪み補正処理回路２６から出力されるこ画像信号に基づいて形成される画像の歪みは、補正される。
【００６０】
なお、図６（ｂ）に示すように、画像信号には、色によってそれぞれ異なる収差量が含まれる。したがって、位置補正部２９において距離ｒ´を算出するために使用される係数Ａ、Ｂ、Ｃ、Ｄ、Ｅは、各色毎に異なる。この結果、理想的には、補正係数記憶部３０に、色毎に適切な係数群（ＡＢ、ＢＢ、ＣＢ、ＤＢ、ＥＢ）、（ＡＧ、ＢＧ、ＣＧ、ＤＧ、ＥＧ）、（ＡＲ、ＢＲ、ＣＲ、ＤＲ、ＥＲ）を記憶しておき、位置補正部２９において距離ｒ´を算出する際には、画像信号の色に応じた係数群を読み出して使用してもよい。
【００６１】
しかし、実際には色による収差量の差は小さいため、色によらず同一の係数Ａ、Ｂ、Ｃ、Ｄ、Ｅを用いて距離ｒ´を算出してもよい。これにより、補正係数記憶部３０の記憶領域を節約することができる。
【００６２】
以上に説明したように、本実施形態に係る固体撮像装置１およびカメラモジュール１０においては、固体撮像装置１のロジック回路２７に、歪み補正処理回路２６が含まれており、これによって、カメラモジュール１０から出力される画像の歪曲収差および倍率色収差を補正している。したがって、このような固体撮像装置１が適用されたカメラモジュール１０によれば、レンズ群１１に、これらの収差を補正するためのレンズを含めることが不要となる。この結果、レンズ群１１を構成するレンズの枚数を低減することができ、カメラモジュール１０を小型化することができる。
【００６３】
また、本実施形態に係る固体撮像装置１およびカメラモジュール１０によれば、モジュール１０の外部において、例えばソフトウェア上においてレンズ収差を補正する信号処理を実行する必要がないため、動画撮像用のカメラモジュールとして適用することもできる。
【００６４】
以上に、本発明の実施形態を説明したが、この実施形態は、例として提示したものであり、発明の範囲を限定することは意図していない。これらの新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
例えば図８に示すカメラモジュール４０のように、歪み補正処理回路４１は、固体撮像素子１２の半導体基板１５の下面に接するように設けられてもよい。歪み補正処理回路４１をこのように設けることにより、上述の実施形態に係るカメラモジュール１０と比較して、歪み補正処理回路４１を配置するスペースを省略することができ、よりカメラモジュール４０を小型化することができる。
【００６６】
なお、上述の実施形態においては、歪み補正処理回路２６、４１をカメラモジュール１０、４０に適用した場合について説明したが、歪み補正処理回路２６、４１は、レンズ群１１を有する他の撮像モジュールに対しても同様に適用することができる。
【符号の説明】
【００６７】
１・・・固体撮像装置
１０、４０・・・カメラモジュール
１１・・・レンズ群
１１ａ、１１ｂ・・・レンズ
１２・・・固体撮像素子
１３・・・基板
１４・・・接着層
１５・・・半導体基板
１６・・・画素部
１７・・・信号処理回路
１８・・・ワイヤー
１９・・・レンズホルダ
２０・・・赤外線遮断フィルタ
２１・・・レンズバレル
２２・・・バネ
２３・・・コイル
２４・・・ヨーク
２５・・・オートフォーカス（ＡＦ）ドライバ
２６、４１・・・歪み補正処理回路
２７・・・ロジック回路
２８・・・位置算出部
２９・・・位置補正部
３０・・・補正係数記憶部
３１・・・コントローラ
【図１】
2015177307.tif 000003
【図２】
2015177307.tif 000004
【図３】
2015177307.tif 000005
【図４】
2015177307.tif 000006
【図５】
2015177307.tif 000007
【図６】
2015177307.tif 000008
【図７】
2015177307.tif 000009
【図８】
2015177307.tif 000010